(57)【要約】    【課題】  得た情報を一元管理して，任意の場所及び時間で使用することが可能な情報登録システム等を提供する。    【解決手段】  ユーザ端末と，店舗側端末と，メーカ側端末と，情報登録サーバとが公衆回線網を介して接続された情報登録システムであって，店舗側端末は，店舗情報を店舗情報番号と関連付けて前記情報登録サーバに登録し，メーカ側端末は，商品情報を商品情報番号と関連付けて情報登録サーバに登録し，ユーザ端末は，取得した店舗情報番号又は商品情報番号を情報登録サーバに送信し，情報登録サーバは，ユーザ端末から送信された店舗情報番号又は商品情報番号に基づいて対応する店舗情報又は商品情報を検索してユーザの個人データベースに格納する。【選択図】    図１
2005084706.tif 000002
【特許請求の範囲】
【請求項１】
ユーザ端末と，店舗側端末と，メーカ側端末と，情報登録サーバとが公衆回線網を介して接続された情報登録システムであって，
前記店舗側端末は，店舗に関連する情報からなる店舗情報を予め設定された店舗情報番号と関連付けて前記情報登録サーバに登録し，又は
前記メーカ側端末は，商品に関連する情報からなる商品情報を予め設定された商品情報番号と関連付けて前記情報登録サーバに登録し，
前記ユーザ端末は，ユーザが所定のメディアを介して取得した店舗情報番号又は商品情報番号を前記情報登録サーバに送信し，
前記情報登録サーバは，前記ユーザ端末から送信された店舗情報番号又は商品情報番号に基づいて対応する店舗情報又は商品情報を検索して前記ユーザの個人データベースに格納する，
ことを特徴とする情報登録システム。
【請求項２】
ユーザ端末と，店舗側端末と，メーカ側端末と，情報登録サーバとが公衆回線網を介して接続された情報登録システムであって，
前記店舗側端末は，店舗に関連する情報からなる店舗情報を予め設定された店舗情報番号と関連付けて前記情報登録サーバに登録し，又は
前記メーカ側端末は，商品に関連する情報からなる商品情報を予め設定された商品情報番号と関連付けて前記情報登録サーバに登録し，
前記ユーザ端末は，ユーザが所定のメディアを介して取得した店舗情報又は商品情報が放映された番組の番組情報を前記情報登録サーバに送信し，
前記情報登録サーバは，前記送信された番組情報から店舗情報番号又は商品情報番号とを特定し，
前記情報登録サーバは，前記特定された店舗情報番号又は商品情報番号に基づいて対応する店舗情報又は商品情報を検索して前記ユーザの個人データベースに格納する，
ことを特徴とする情報登録システム。
【請求項３】
ユーザ端末と，店舗側端末と，メーカ側端末と，情報登録サーバとが公衆回線網を介して接続された情報登録システムであって，
前記店舗側端末は，店舗に関連する情報からなる店舗情報を予め設定された店舗情報番号と関連付けて前記情報登録サーバに登録し，又は
前記メーカ側端末は，商品に関連する情報からなる商品情報を予め設定された商品情報番号と関連付けて前記情報登録サーバに登録し，
前記ユーザ端末は，ユーザが所定のメディアを介して取得した店舗情報又は商品情報のページのＵＲＬを前記情報登録サーバに送信し，
前記情報登録サーバは，前記ユーザ端末から送信されたＵＲＬに基づいて対応する店舗情報又は商品情報を検索して前記ユーザの個人データベースに格納する，
ことを特徴とする情報登録システム。
【請求項４】
前記ユーザの個人データベースに格納された店舗情報又は商品情報は，前記ユーザの要求に応じて，又は所定の条件下で自動的に，前記ユーザ端末に送信される，
ことを特徴とする請求項１，２あるいは３項のうちいずれか１項に記載の情報登録システム。
【請求項５】
前記所定条件は，時間条件，位置条件，個人条件の群から選択される少なくとも１つである，ことを特徴とする請求項４に記載の情報登録システム。
【請求項６】
前記店舗情報は，店舗側端末を介して店舗のみが登録可能な店舗オフィシャル情報と，ユーザ端末を介してユーザのみが書き換え可能な店舗勝手情報と，からなる，ことを特徴とする請求項１，２あるいは３項のうちいずれか１項に記載の情報登録システム。
【請求項７】
前記店舗オフィシャル情報は，情報の書き換え不可能な固定情報と，情報の書き換え可能な変動情報とからなる，ことを特徴とする請求項１，２あるいは３項のうちいずれか１項に記載の情報登録システム。
【請求項８】
前記商品情報は，メーカ側端末を介してメーカのみが登録可能な商品オフィシャル情報と，ユーザ端末を介してユーザのみが書き換え可能な商品勝手情報と，からなる，ことを特徴とする請求項１，２あるいは３項のうちいずれか１項に記載の情報登録システム。
【請求項９】
前記商品オフィシャル情報は，情報の書き換え不可能な固定情報と，情報の書き換え可能な変動情報とからなる，ことを特徴とする請求項１，２あるいは３項のうちいずれか１項に記載の情報登録システム。
【請求項１０】
前記商品情報は，前記店舗情報に紐付け可能である，ことを特徴とする請求項１，２あるいは３項のうちいずれか１項に記載の情報登録システム。
【請求項１１】
前記情報登録サーバは，前記ユーザが前記店舗情報を提供した店舗を利用した履歴を示す店舗利用履歴情報を有する，ことを特徴とする請求項１，２あるいは３項のうちいずれか１項に記載の情報登録システム。
【請求項１２】
前記情報登録サーバは，前記ユーザ以外の他のユーザの個人情報を参照して，所定の条件下で共通嗜好の他のユーザ個人情報を抽出し，前記ユーザに対して前記他のユーザの個人情報をお薦め情報として提供可能である，ことを特徴とする請求項１，２あるいは３項のうちいずれか１項に記載の情報登録システム。
【請求項１３】
ユーザ端末と，店舗側端末と，メーカ側端末と，公衆回線網を介して接続される情報登録サーバであって，
前記情報登録サーバは，
前記店舗側端末から送信された店舗に関連する情報からなる店舗情報を予め設定された店舗情報番号と関連付けて登録する手段と，又は
前記メーカ側端末から送信された商品に関連する情報からなる商品情報を予め設定された商品情報番号と関連付けて登録する手段と，
前記ユーザ端末から送信された店舗情報番号又は商品情報番号に基づいて対応する店舗情報又は商品情報を検索する手段と，
前記検索された店舗情報又は商品情報を前記ユーザの個人データベースに格納する手段と，を有する，
ことを特徴とするサーバ装置。
【請求項１４】
ユーザ端末と，店舗側端末と，メーカ側端末と，公衆回線網を介して接続された情報登録サーバであって，
前記情報登録サーバは，
前記店舗側端末から送信された店舗に関連する情報からなる店舗情報を予め設定された店舗情報番号と関連付けて登録する手段と，又は
前記メーカ側端末から送信された商品に関連する情報からなる商品情報を予め設定された商品情報番号と関連付けて登録する手段と，
店舗情報又は商品情報が放映された番組の情報からなる番組情報を登録する手段と，
前記ユーザ端末から送信された番組情報に基づいて，店舗情報番号又は商品情報番号を検索する手段と，
前記検索された店舗情報番号又は商品情報番号に基づいて対応する店舗情報又は商品情報を検索する手段と，
前記検索された店舗情報又は商品情報を前記ユーザの個人データベースに格納する手段と，を有する，
ことを特徴とするサーバ装置。
【請求項１５】
ユーザ端末と，店舗側端末と，メーカ側端末と，が公衆回線網を介して接続された情報登録サーバであって，
前記情報登録サーバは，
前記店舗側端末から送信された店舗に関連する情報からなる店舗情報を予め設定された店舗情報番号と関連付けて登録する手段と，又は
前記メーカ側端末から送信された商品に関連する情報からなる商品情報を予め設定された商品情報番号と関連付けて登録する手段と，
前記ユーザ端末から送信された店舗情報又は商品情報のページのＵＲＬに基づいて，店舗情報又は商品情報を検索する手段と， 
前記検索された店舗情報又は商品情報を前記ユーザの個人データベースに格納する手段と，を有する，
ことを特徴とするサーバ装置。
【請求項１６】
前記ユーザの個人データベースに格納された店舗情報又は商品情報は，前記ユーザの要求に応じて，又は所定の条件下で自動的に，前記ユーザ端末に送信される，
ことを特徴とする請求項１３，１４あるいは１５項のうちいずれか１項に記載のサーバ装置。
【請求項１７】
前記所定条件は，時間条件，位置条件，個人条件の群から選択される少なくとも１つである，ことを特徴とする請求項１６に記載のサーバ装置。
【請求項１８】
前記店舗情報は，店舗側端末を介して店舗のみが登録可能な店舗オフィシャル情報と，ユーザ端末を介してユーザのみが書き換え可能な店舗勝手情報と，からなる，ことを特徴とする請求項１１に記載のサーバ装置。
【請求項１９】
前記店舗オフィシャル情報は，情報の書き換え不可能な固定情報と，情報の書き換え可能な変動情報とからなる，ことを特徴とする請求項１３，１４あるいは１５項のうちいずれか１項に記載のサーバ装置。
【請求項２０】
前記商品情報は，メーカ側端末を介してメーカのみが登録可能な商品オフィシャル情報と，ユーザ端末を介してユーザのみが書き換え可能な商品勝手情報と，からなる，ことを特徴とする請求項１３，１４あるいは１５項のうちいずれか１項に記載のサーバ装置。
【請求項２１】
前記商品オフィシャル情報は，情報の書き換え不可能な固定情報と，情報の書き換え可能な変動情報とからなる，ことを特徴とする請求項１３，１４あるいは１５項のうちいずれか１項に記載のサーバ装置。
【請求項２２】
前記商品情報は，前記店舗情報に紐付け可能である，  ことを特徴とする請求項１３，１４あるいは１５項のうちいずれか１項に記載のサーバ装置。
【請求項２３】
前記情報登録サーバは，前記ユーザが前記店舗情報を提供した店舗を利用した履歴を示す店舗利用履歴情報を有する，  ことを特徴とする請求項１３，１４あるいは１５項のうちいずれか１項に記載のサーバ装置。
【請求項２４】
前記情報登録サーバは，前記ユーザ以外の他のユーザの個人情報を参照して，所定の条件下で共通嗜好の他のユーザ個人情報を抽出し，前記ユーザに対して前記他のユーザの個人情報をお薦め情報として提供可能である，ことを特徴とする請求項１３，１４あるいは１５項のうちいずれか１項に記載のサーバ装置。
【請求項２５】
コンピュータに対し，
店舗側端末から送信された店舗に関連する情報からなる店舗情報を予め設定された店舗情報番号と関連付けて登録する手段と，又は，
メーカ側端末から送信された商品に関連する情報からなる商品情報を予め設定された商品情報番号と関連付けて登録する手段と，
ユーザ端末から送信された店舗情報番号又は商品情報番号に基づいて対応する店舗情報又は商品情報を検索する手段と，
前記検索された店舗情報又は商品情報を前記ユーザの個人データベースに格納する手段と，
して機能させるためのプログラム。
【請求項２６】
コンピュータに対し，
店舗側端末から送信された店舗に関連する情報からなる店舗情報を予め設定された店舗情報番号と関連付けて登録する手段と，又は
メーカ側端末から送信された商品に関連する情報からなる商品情報を予め設定された商品情報番号と関連付けて登録する手段と，
ユーザ端末から送信された店舗情報番号又は商品情報番号に基づいて対応する店舗情報又は商品情報を検索する手段と，
前記検索された店舗情報又は商品情報を前記ユーザの個人データベースに格納する手段と，
して機能させるためのプログラムを記録したコンピュータ読み取り可能な記録媒体。
【請求項２７】
ユーザ端末と，店舗側端末と，メーカ側端末と，情報登録サーバとが公衆回線網を介して接続された情報登録方法であって，
前記店舗側端末は，店舗に関連する情報からなる店舗情報を予め設定された店舗情報番号と関連付けて前記情報登録サーバに登録し，
前記メーカ側端末は，商品に関連する情報からなる商品情報を予め設定された商品情報番号と関連付けて前記情報登録サーバに登録し，
前記ユーザ端末は，取得した店舗情報番号又は商品情報番号を前記情報登録サーバに送信し，
前記情報登録サーバは，前記ユーザ端末から送信された店舗情報番号又は商品情報番号に基づいて対応する店舗情報又は商品情報を検索して前記ユーザの個人データベースに格納する，
ことを特徴とする情報登録方法。
【請求項２８】
ユーザ端末と，店舗側端末と，メーカ側端末と，情報登録サーバとが公衆回線網を介して接続された情報登録方法であって，
前記店舗側端末は，店舗に関連する情報からなる店舗情報を予め設定された店舗情報番号と関連付けて前記情報登録サーバに登録し，又は
前記メーカ側端末は，商品に関連する情報からなる商品情報を予め設定された商品情報番号と関連付けて前記情報登録サーバに登録し，
前記ユーザ端末は，ユーザが所定のメディアを介して取得した店舗情報又は商品情報が放映された番組の番組情報を前記情報登録サーバに送信し，
前記情報登録サーバは，前記送信された番組情報から店舗情報番号又は商品情報番号とを特定し，
前記情報登録サーバは，前記特定された店舗情報番号又は商品情報番号に基づいて対応する店舗情報又は商品情報を検索して前記ユーザの個人データベースに格納する，
ことを特徴とする情報登録方法。
【請求項２９】
ユーザ端末と，店舗側端末と，メーカ側端末と，情報登録サーバとが公衆回線網を介して接続された情報登録方法であって，
前記店舗側端末は，店舗に関連する情報からなる店舗情報を予め設定された店舗情報番号と関連付けて前記情報登録サーバに登録し，又は
前記メーカ側端末は，商品に関連する情報からなる商品情報を予め設定された商品情報番号と関連付けて前記情報登録サーバに登録し，
前記ユーザ端末は，ユーザが所定のメディアを介して取得した店舗情報又は商品情報のページのＵＲＬを前記情報登録サーバに送信し，
前記情報登録サーバは，前記ユーザ端末から送信されたＵＲＬに基づいて対応する店舗情報又は商品情報を検索して前記ユーザの個人データベースに格納する，
ことを特徴とする情報登録方法。
【請求項３０】
前記ユーザの個人データベースに格納された店舗情報又は商品情報は，前記ユーザの要求に応じて，又は所定の条件下で自動的に，前記ユーザ端末に送信される，
ことを特徴とする請求項２７，２８あるいは２９項のうちいずれか１項に記載の情報登録方法。
【請求項３１】
前記所定条件は，時間条件，位置条件，個人条件の群から選択される少なくとも１つである，ことを特徴とする請求項３０記載の情報登録方法。
【請求項３２】
前記店舗情報は，店舗側端末を介して店舗のみが登録可能な店舗オフィシャル情報と，ユーザ端末を介してユーザのみが書き換え可能な店舗勝手情報と，からなる，  ことを特徴とする請求項２７，２８あるいは２９項のうちいずれか１項に記載の情報登録方法。
【請求項３３】
前記店舗オフィシャル情報は，情報の書き換え不可能な固定情報と，情報の書き換え可能な変動情報とからなる，  ことを特徴とする請求項２７，２８あるいは２９項のうちいずれか１項に記載の情報登録方法。
【請求項３４】
前記商品情報は，メーカ側端末を介してメーカのみが登録可能な商品オフィシャル情報と，ユーザ端末を介してユーザのみが書き換え可能な商品勝手情報と，からなる，  ことを特徴とする請求項２７，２８あるいは２９項のうちいずれか１項に記載の情報登録方法。
【請求項３５】
前記商品オフィシャル情報は，情報の書き換え不可能な固定情報と，情報の書き換え可能な変動情報とからなる，  ことを特徴とする請求項２７，２８あるいは２９項のうちいずれか１項に記載の情報登録方法。
【請求項３６】
前記商品情報は，前記店舗情報に紐付け可能である，  ことを特徴とする請求項２７，２８あるいは２９項のうちいずれか１項に記載の情報登録方法。
【請求項３７】
前記情報登録サーバは，前記ユーザが前記店舗情報を提供した店舗を利用した履歴を示す店舗利用履歴情報を作成する，  ことを特徴とする請求項２７，２８あるいは２９項のうちいずれか１項に記載の情報登録方法。
【請求項３８】
前記情報登録サーバは，前記ユーザ以外の他のユーザの個人情報を参照して，所定の条件下で共通嗜好の他のユーザ個人情報を抽出し，前記ユーザに対して前記他のユーザの個人情報をお薦め情報として提供可能である，  ことを特徴とする請求項２７，２８あるいは２９項のうちいずれか１項に記載の情報登録方法。
【発明の詳細な説明】
【技術分野】
【０００１】
本発明は，情報登録システム，サーバ装置，プログラム，プログラムを記録した媒体及び情報登録方法に関する。
【背景技術】
【０００２】
従来においては，多くの人は，印刷物，インターネット，ＴＶなどのメディアや口コミなどで得た情報のうち，利用価値が高い情報や自分自身が利用したい情報は，忘れないよう頭の中で記憶したり，メモを取って記録に残したりすることをおこなっている。しかしながら，長い年月を経てしまうと，記憶した情報を忘れてしまったり，情報を記録したメモを無くしてしまうなどしてしまい，有用な情報が活用されないのが現状である。
【０００３】
また，近年においては，スケジュール管理やアドレス管理などの人の記憶を時間や場所を問わずに支援するサービスや，時間や場所をキーワードにお薦め情報を提供するサービスなどが多数存在している。
【発明の開示】
【発明が解決しようとする課題】
【０００４】
しかしながら，上記従来のシステムにおいては，情報を入手した場合に，即座に情報を記録することが困難である，という問題がある。また，情報のフォーマットが統一されておらず，詳細な情報を記録しようとするとユーザの負担が重くなる，という問題がある。さらに，情報の記録がローカル（手帳，パソコンなど）に限られており，時間や場所に制限される環境にある，という問題がある。このように，現在においては，上記様々なメディアと接触し，飲食店や商品などの様々な情報を取得することができるが，取得した情報が有効に活用されていないというのが実情である。
【０００５】
したがって，本発明の目的は，得た情報を一元管理して，任意の場所及び時間で使用することが可能な新規かつ改良された情報登録システム，サーバ装置，端末装置，プログラム，プログラムを記録した媒体及び情報利用方法を提供することにある。
【課題を解決するための手段】
【０００６】
上記目的を達成するため，本発明の第１の観点においては，ユーザ端末と，店舗側端末と，メーカ側端末と，情報登録サーバとが公衆回線網を介して接続された情報登録システムであって，前記店舗側端末は，店舗に関連する情報からなる店舗情報を予め設定された店舗情報番号と関連付けて前記情報登録サーバに登録し，又は，前記メーカ側端末は，商品に関連する情報からなる商品情報を予め設定された商品情報番号と関連付けて前記情報登録サーバに登録し，前記ユーザ端末は，ユーザが所定のメディアを介して取得した店舗情報番号又は商品情報番号を前記情報登録サーバに送信し，前記情報登録サーバは，前記ユーザ端末から送信された店舗情報番号又は商品情報番号に基づいて対応する店舗情報又は商品情報を検索して前記ユーザの個人データベースに格納する，ことを特徴とする情報登録システムが提供される。
【０００７】
上記記載の発明では，各種メディアから得られた店舗情報，商品情報を特定のフォーマットで一元管理し，場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカ（以下では，販売元を含みメーカという）が情報を登録するのが好ましい。
【０００８】
また，上記課題を解決するため，本発明の第２の観点においては，ユーザ端末と，店舗側端末と，メーカ側端末と，情報登録サーバとが公衆回線網を介して接続された情報登録システムであって，前記店舗側端末は，店舗に関連する情報からなる店舗情報を予め設定された店舗情報番号と関連付けて前記情報登録サーバに登録し，又は前記メーカ側端末は，商品に関連する情報からなる商品情報を予め設定された商品情報番号と関連付けて前記情報登録サーバに登録し，前記ユーザ端末は，ユーザが所定のメディアを介して取得した店舗情報又は商品情報が放映された番組の番組情報を前記情報登録サーバに送信し，前記情報登録サーバは，前記送信された番組情報から店舗情報番号又は商品情報番号とを特定し，前記情報登録サーバは，前記特定された店舗情報番号又は商品情報番号に基づいて対応する店舗情報又は商品情報を検索して前記ユーザの個人データベースに格納する，ことを特徴とする情報登録システムが提供される。
【０００９】
上記記載の発明では，各種メディアから得られた番組情報により，特定のフォーマットで一元管理された店舗情報や商品情報を場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカが情報を登録するのが好ましい。
【００１０】
また，上記課題を解決するため，本発明の第３の観点においては，ユーザ端末と，店舗側端末と，メーカ側端末と，情報登録サーバとが公衆回線網を介して接続された情報登録システムであって，前記店舗側端末は，店舗に関連する情報からなる店舗情報を予め設定された店舗情報番号と関連付けて前記情報登録サーバに登録し，又は前記メーカ側端末は，商品に関連する情報からなる商品情報を予め設定された商品情報番号と関連付けて前記情報登録サーバに登録し，前記ユーザ端末は，ユーザが所定のメディアを介して取得した店舗情報又は商品情報のページのＵＲＬを前記情報登録サーバに送信し，前記情報登録サーバは，前記ユーザ端末から送信されたＵＲＬに基づいて対応する店舗情報又は商品情報を検索して前記ユーザの個人データベースに格納する，ことを特徴とする情報登録システムが提供される。
【００１１】
上記記載の発明では，各種メディアから得られた店舗情報や商品情報のページのＵＲＬなどにより，特定のフォーマットで一元管理された店舗情報や商品情報を場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカが情報を登録するのが好ましい。
【００１２】
また，前記ユーザの個人データベースに格納された店舗情報又は商品情報は，前記ユーザの要求に応じて，又は所定の条件下で自動的に，前記ユーザ端末に送信される，如く構成すれば，ユーザの要求に応じて，あるいはユーザが設定した所定の条件が満たされたときに店舗情報又は商品情報がユーザ端末に通知されるので，時間あるいは場所を問わずに情報を利用することができる。
【００１３】
また，前記所定条件は，時間条件，位置条件，個人条件の群から選択される少なくとも１つである，如く構成することができる。
【００１４】
また，前記店舗情報は，店舗側端末を介して店舗のみが登録可能な店舗オフィシャル情報と，ユーザ端末を介してユーザのみが書き換え可能な店舗勝手情報と，からなる，如く構成すれば，店舗情報は，店舗側が登録するオフィシャル情報以外にも，ユーザが登録する店舗勝手情報から構成されるので，ユーザの利便性が向上される。なお，ユーザが登録する店舗勝手情報は，他のユーザにより更新が可能なものとすれば，登録された情報の間違いや未確認部分に対して，他のユーザが修正，追加することにより，情報としての完成度が高められる。さらに，店舗情報は，個人情報（勝手情報）と紐付けられているので，マーケティング情報としても活用することができる。また，チェーン展開をしている店舗においては，店舗同士を紐付けして，他の店舗も登録するように構成すれば，情報のより効果的な利用を行うことができる。
【００１５】
また，前記店舗オフィシャル情報は，情報の書き換え不可能な固定情報と，情報の書き換え可能な変動情報とからなる，如く構成すれば，店舗側は，古い情報を削除したり，新規情報を新たに登録することが可能となる。
【００１６】
また，前記商品情報は，メーカ側端末を介してメーカのみが登録可能な商品オフィシャル情報と，ユーザ端末を介してユーザのみが書き換え可能な商品勝手情報と，からなる，如く構成すれば，商品情報は，メーカ側が登録するオフィシャル情報以外にも，ユーザが登録する商品勝手情報から構成されるので，ユーザの利便性が向上される。なお，ユーザが登録する商品勝手情報は，他のユーザにより更新が可能なものとすれば，登録された情報の間違いや未確認部分に対して，他のユーザが修正，追加することにより，情報としての完成度が高められる。
【００１７】
また，前記商品オフィシャル情報は，情報の書き換え不可能な固定情報と，情報の書き換え可能な変動情報とからなる，如く構成すれば，メーカ側は，古い情報を削除したり，新規情報を新たに登録することが可能となる。
【００１８】
また，前記商品情報は，前記店舗情報に紐付け可能である，如く構成すれば，自分の店舗で販売している商品の商品情報を自分の店舗情報に登録することにより，店舗側では，店頭価格，在庫等の記入が可能となるので，ユーザは登録した商品の販売場所や価格，在庫などの情報を知ることができる。また，マップを表示したり，安い順にソート表示することなどにより，ユーザの利便性も向上される。なお，この登録は，店舗情報の変動部分で行われるので，商品の在庫がなくなった場合に削除するなどの運用が可能である。
【００１９】
また，前記情報登録サーバは，前記ユーザが前記店舗情報を提供した店舗を利用した履歴を示す店舗利用履歴情報を有する，如く構成すれば，店舗側は，ユーザ側の店舗利用状況を把握できるので，各ユーザの店舗利用状況に応じて様々なサービスを提供することができる。また，ユーザ側は，店舗利用の機会を判断することができる。
【００２０】
また，前記情報登録サーバは，前記ユーザ以外の他のユーザの個人情報を参照して，所定の条件下で共通嗜好の他のユーザ個人情報を抽出し，前記ユーザに対して前記他のユーザの個人情報をお薦め情報として提供可能である，如く構成すれば，ユーザは，より完成度の高い情報を得ることができる。なお，他のユーザに情報を提供するか否かを予め設定することにより，他人に知られたくない情報が漏洩することが防止される。
【００２１】
上記課題を解決するため，本発明の第４の観点においては，ユーザ端末と，店舗側端末と，メーカ側端末と，公衆回線網を介して接続される情報登録サーバであって，前記情報登録サーバは，前記店舗側端末から送信された店舗に関連する情報からなる店舗情報を予め設定された店舗情報番号と関連付けて登録する手段と，又は，前記メーカ側端末から送信された商品に関連する情報からなる商品情報を予め設定された商品情報番号と関連付けて登録する手段と，前記ユーザ端末から送信された店舗情報番号又は商品情報番号に基づいて対応する店舗情報又は商品情報を検索する手段と，前記検索された店舗情報又は商品情報を前記ユーザの個人データベースに格納する手段と，を有する，ことを特徴とするサーバ装置が提供される。
【００２２】
上記記載の発明では，各種メディアから得られた店舗情報，商品情報を特定のフォーマットで一元管理し，場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカが情報を登録するのが好ましい。
【００２３】
上記課題を解決するため，本発明の第５の観点においては，ユーザ端末と，店舗側端末と，メーカ側端末と，公衆回線網を介して接続された情報登録サーバであって，前記情報登録サーバは，前記店舗側端末から送信された店舗に関連する情報からなる店舗情報を予め設定された店舗情報番号と関連付けて登録する手段と，又は前記メーカ側端末から送信された商品に関連する情報からなる商品情報を予め設定された商品情報番号と関連付けて登録する手段と，店舗情報又は商品情報が放映された番組の情報からなる番組情報を登録する手段と，前記ユーザ端末から送信された番組情報に基づいて，店舗情報番号又は商品情報番号を検索する手段と，前記検索された店舗情報番号又は商品情報番号に基づいて対応する店舗情報又は商品情報を検索する手段と，前記検索された店舗情報又は商品情報を前記ユーザの個人データベースに格納する手段と，を有する，ことを特徴とするサーバ装置が提供される。
【００２４】
上記記載の発明では，各種メディアから得られた番組情報により，特定のフォーマットで一元管理された店舗情報や商品情報を場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカが情報を登録するのが好ましい。
【００２５】
上記課題を解決するため，本発明の第６の観点においては，ユーザ端末と，店舗側端末と，メーカ側端末と，が公衆回線網を介して接続された情報登録サーバであって，前記情報登録サーバは，前記店舗側端末から送信された店舗に関連する情報からなる店舗情報を予め設定された店舗情報番号と関連付けて登録する手段と，又は前記メーカ側端末から送信された商品に関連する情報からなる商品情報を予め設定された商品情報番号と関連付けて登録する手段と，前記ユーザ端末から送信された店舗情報又は商品情報のページのＵＲＬに基づいて，店舗情報又は商品情報を検索する手段と，前記検索された店舗情報又は商品情報を前記ユーザの個人データベースに格納する手段と，を有する，ことを特徴とするサーバ装置が提供される。
【００２６】
上記記載の発明では，各種メディアから得られた店舗情報や商品情報のページのＵＲＬなどにより，特定のフォーマットで一元管理された店舗情報や商品情報を場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカが情報を登録するのが好ましい。
【００２７】
また，前記ユーザの個人データベースに格納された店舗情報又は商品情報は，前記ユーザの要求に応じて，又は所定の条件下で自動的に，前記ユーザ端末に送信される，如く構成すれば，ユーザの要求に応じて，あるいはユーザが設定した所定の条件が満たされたときに店舗情報又は商品情報がユーザ端末に通知されるので，時間あるいは場所を問わずに情報を利用することができる。
【００２８】
また，前記所定条件は，時間条件，位置条件，個人条件の群から選択される少なくとも１つである，如く構成することができる。
【００２９】
また，前記店舗情報は，店舗側端末を介して店舗のみが登録可能な店舗オフィシャル情報と，ユーザ端末を介してユーザのみが書き換え可能な店舗勝手情報と，からなる，如く構成すれば，店舗情報は，店舗側が登録するオフィシャル情報以外にも，ユーザが登録する店舗勝手情報から構成されるので，ユーザの利便性が向上される。なお，ユーザが登録する店舗勝手情報は，他のユーザにより更新が可能なものとすれば，登録された情報の間違いや未確認部分に対して，他のユーザが修正，追加することにより，情報としての完成度が高められる。さらに，店舗情報は，個人情報（勝手情報）と紐付けられているので，マーケティング情報としても活用することができる。また，チェーン展開をしている店舗においては，店舗同士を紐付けして，他の店舗も登録するように構成すれば，情報のより効果的な利用を行うことができる。
【００３０】
また，前記店舗オフィシャル情報は，情報の書き換え不可能な固定情報と，情報の書き換え可能な変動情報とからなる，如く構成すれば，店舗側は，古い情報を削除したり，新規情報を新たに登録することが可能となる。
【００３１】
また，前記商品情報は，メーカ側端末を介してメーカのみが登録可能な商品オフィシャル情報と，ユーザ端末を介してユーザのみが書き換え可能な商品勝手情報と，からなる，如く構成すれば，商品情報は，メーカ側が登録するオフィシャル情報以外にも，ユーザが登録する商品勝手情報から構成されるので，ユーザの利便性が向上される。なお，ユーザが登録する商品勝手情報は，他のユーザにより更新が可能なものとすれば，登録された情報の間違いや未確認部分に対して，他のユーザが修正，追加することにより，情報としての完成度が高められる。
【００３２】
また，前記商品オフィシャル情報は，情報の書き換え不可能な固定情報と，情報の書き換え可能な変動情報とからなる，如く構成すれば，メーカ側は，古い情報を削除したり，新規情報を新たに登録することが可能となる。
【００３３】
また，前記商品情報は，前記店舗情報に紐付け可能である，如く構成すれば，自分の店舗で販売している商品の商品情報を自分の店舗情報に登録することにより，店舗側では，店頭価格，在庫等の記入が可能となるので，ユーザは登録した商品の販売場所や価格，在庫などの情報を知ることができる。また，マップを表示したり，安い順にソート表示することなどにより，ユーザの利便性も向上される。なお，この登録は，店舗情報の変動部分で行われるので，商品の在庫がなくなった場合に削除するなどの運用が可能である。
【００３４】
また，前記情報登録サーバは，前記ユーザが前記店舗情報を提供した店舗を利用した履歴を示す店舗利用履歴情報を有する，如く構成すれば，店舗側は，ユーザ側の店舗利用状況を把握できるので，各ユーザの店舗利用状況に応じて様々なサービスを提供することができる。また，ユーザ側は，店舗利用の機会を判断することができる。
【００３５】
また，前記情報登録サーバは，前記ユーザ以外の他のユーザの個人情報を参照して，所定の条件下で共通嗜好の他のユーザ個人情報を抽出し，前記ユーザに対して前記他のユーザの個人情報をお薦め情報として提供可能である，如く構成すれば，ユーザは，より完成度の高い情報を得ることができる。なお，他のユーザに情報を提供するか否かを予め設定することにより，他人に知られたくない情報が漏洩することが防止される。
【００３６】
上記課題を解決するため，本発明の第７の観点においては，コンピュータに対し，店舗側端末から送信された店舗に関連する情報からなる店舗情報を予め設定された店舗情報番号と関連付けて登録する手段と，又は，メーカ側端末から送信された商品に関連する情報からなる商品情報を予め設定された商品情報番号と関連付けて登録する手段と，ユーザ端末から送信された店舗情報番号又は商品情報番号に基づいて対応する店舗情報又は商品情報を検索する手段と，前記検索された店舗情報又は商品情報を前記ユーザの個人データベースに格納する手段と，して機能させるためのプログラムが提供される。
【００３７】
上記課題を解決するため，本発明の第８の観点においては，コンピュータに対し，店舗側端末から送信された店舗に関連する情報からなる店舗情報を予め設定された店舗情報番号と関連付けて登録する手段と，又は，メーカ側端末から送信された商品に関連する情報からなる商品情報を予め設定された商品情報番号と関連付けて登録する手段と，ユーザ端末から送信された店舗情報番号又は商品情報番号に基づいて対応する店舗情報又は商品情報を検索する手段と，前記検索された店舗情報又は商品情報を前記ユーザの個人データベースに格納する手段と，して機能させるためのプログラムを記録したコンピュータ読み取り可能な記録媒体が提供される。
【００３８】
上記課題を解決するため，本発明の第９の観点においては，ユーザ端末と，店舗側端末と，メーカ側端末と，情報登録サーバとが公衆回線網を介して接続された情報登録方法であって，前記店舗側端末は，店舗に関連する情報からなる店舗情報を予め設定された店舗情報番号と関連付けて前記情報登録サーバに登録し，前記メーカ側端末は，商品に関連する情報からなる商品情報を予め設定された商品情報番号と関連付けて前記情報登録サーバに登録し，前記ユーザ端末は，取得した店舗情報番号又は商品情報番号を前記情報登録サーバに送信し，前記情報登録サーバは，前記ユーザ端末から送信された店舗情報番号又は商品情報番号に基づいて対応する店舗情報又は商品情報を検索して前記ユーザの個人データベースに格納する，ことを特徴とする情報登録方法が提供される。
【００３９】
上記記載の発明では，各種メディアから得られた店舗情報，商品情報を特定のフォーマットで一元管理し，場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカが情報を登録するのが好ましい。なお，例えば飲食店が料理を提供する場合などは，飲食店などの店舗はメーカであり，飲食店が提供する料理などは商品に該当する。
【００４０】
上記課題を解決するため本発明の第１０の観点においては，ユーザ端末と，店舗側端末と，メーカ側端末と，情報登録サーバとが公衆回線網を介して接続された情報登録方法であって，前記店舗側端末は，店舗に関連する情報からなる店舗情報を予め設定された店舗情報番号と関連付けて前記情報登録サーバに登録し，又は前記メーカ側端末は，商品に関連する情報からなる商品情報を予め設定された商品情報番号と関連付けて前記情報登録サーバに登録し，前記ユーザ端末は，ユーザが所定のメディアを介して取得した店舗情報又は商品情報が放映された番組の番組情報を前記情報登録サーバに送信し，前記情報登録サーバは，前記送信された番組情報から店舗情報番号又は商品情報番号とを特定し，前記情報登録サーバは，前記特定された店舗情報番号又は商品情報番号に基づいて対応する店舗情報又は商品情報を検索して前記ユーザの個人データベースに格納する，ことを特徴とする情報登録方法が提供される。
【００４１】
上記記載の発明では，各種メディアから得られた番組情報により，特定のフォーマットで一元管理された店舗情報や商品情報を場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカが情報を登録するのが好ましい。
【００４２】
上記課題を解決するため，本発明の第１１の観点においては，ユーザ端末と，店舗側端末と，メーカ側端末と，情報登録サーバとが公衆回線網を介して接続された情報登録方法であって，前記店舗側端末は，店舗に関連する情報からなる店舗情報を予め設定された店舗情報番号と関連付けて前記情報登録サーバに登録し，又は前記メーカ側端末は，商品に関連する情報からなる商品情報を予め設定された商品情報番号と関連付けて前記情報登録サーバに登録し，前記ユーザ端末は，ユーザが所定のメディアを介して取得した店舗情報又は商品情報のページのＵＲＬを前記情報登録サーバに送信し，前記情報登録サーバは，前記ユーザ端末から送信されたＵＲＬに基づいて対応する店舗情報又は商品情報を検索して前記ユーザの個人データベースに格納する，ことを特徴とする情報登録方法が提供される。
【００４３】
上記記載の発明では，各種メディアから得られた店舗情報や商品情報のページのＵＲＬなどにより，特定のフォーマットで一元管理された店舗情報や商品情報を場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカが情報を登録するのが好ましい。
【００４４】
また，前記ユーザの個人データベースに格納された店舗情報又は商品情報は，前記ユーザの要求に応じて，又は所定の条件下で自動的に，前記ユーザ端末に送信される，如く構成すれば，ユーザの要求に応じて，あるいはユーザが設定した所定の条件が満たされたときに店舗情報又は商品情報がユーザ端末に通知されるので，時間あるいは場所を問わずに情報を利用することができる。
【００４５】
また，前記所定条件は，時間条件，位置条件，個人条件の群から選択される少なくとも１つである，如く構成することができる。
【００４６】
また，前記店舗情報は，店舗側端末を介して店舗のみが登録可能な店舗オフィシャル情報と，ユーザ端末を介してユーザのみが書き換え可能な店舗勝手情報と，からなる，如く構成すれば，店舗情報は，店舗側が登録するオフィシャル情報以外にも，ユーザが登録する店舗勝手情報から構成されるので，ユーザの利便性が向上される。なお，ユーザが登録する店舗勝手情報は，他のユーザにより更新が可能なものとすれば，登録された情報の間違いや未確認部分に対して，他のユーザが修正，追加することにより，情報としての完成度が高められる。さらに，店舗情報は，個人情報（勝手情報）と紐付けられているので，マーケティング情報としても活用することができる。また，チェーン展開をしている店舗においては，店舗同士を紐付けして，他の店舗も登録するように構成すれば，情報のより効果的な利用を行うことができる。
【００４７】
また，前記店舗オフィシャル情報は，情報の書き換え不可能な固定情報と，情報の書き換え可能な変動情報とからなる，如く構成すれば，店舗側は，古い情報を削除したり，新規情報を新たに登録することが可能となる。
【００４８】
また，前記商品情報は，メーカ側端末を介してメーカのみが登録可能な商品オフィシャル情報と，ユーザ端末を介してユーザのみが書き換え可能な商品勝手情報と，からなる，如く構成すれば，商品情報は，メーカ側が登録するオフィシャル情報以外にも，ユーザが登録する商品勝手情報から構成されるので，ユーザの利便性が向上される。なお，ユーザが登録する商品勝手情報は，他のユーザにより更新が可能なものとすれば，登録された情報の間違いや未確認部分に対して，他のユーザが修正，追加することにより，情報としての完成度が高められる。
【００４９】
また，前記商品オフィシャル情報は，情報の書き換え不可能な固定情報と，情報の書き換え可能な変動情報とからなる，如く構成すれば，メーカ側は，古い情報を削除したり，新規情報を新たに登録することが可能となる。
【００５０】
また，前記商品情報は，前記店舗情報に紐付け可能である，如く構成すれば，自分の店舗で販売している商品の商品情報を自分の店舗情報に登録することにより，店舗側では，店頭価格，在庫等の記入が可能となるので，ユーザは登録した商品の販売場所や価格，在庫などの情報を知ることができる。また，マップを表示したり，安い順にソート表示することなどにより，ユーザの利便性も向上される。なお，この登録は，店舗情報の変動部分で行われるので，商品の在庫がなくなった場合に削除するなどの運用が可能である。
【００５１】
また，前記情報登録サーバは，前記ユーザが前記店舗情報を提供した店舗を利用した履歴を示す店舗利用履歴情報を有する，如く構成すれば，店舗側は，ユーザ側の店舗利用状況を把握できるので，各ユーザの店舗利用状況に応じて様々なサービスを提供することができる。また，ユーザ側は，店舗利用の機会を判断することができる。
【００５２】
また，前記情報登録サーバは，前記ユーザ以外の他のユーザの個人情報を参照して，所定の条件下で共通嗜好の他のユーザ個人情報を抽出し，前記ユーザに対して前記他のユーザの個人情報をお薦め情報として提供可能である，如く構成すれば，ユーザは，より完成度の高い情報を得ることができる。なお，他のユーザに情報を提供するか否かを予め設定することにより，他人に知られたくない情報が漏洩することが防止される。
【発明の効果】
【００５３】
本発明においては，各種メディアから得られた店舗情報，商品情報を一元管理し，場所や時間を問わずに使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，チェーン展開をしている店舗においては，店舗同士を紐付けして，他の店舗も登録させることができる。さらに，店舗情報は，個人情報（勝手情報）と紐付けられているので，マーケティング情報としても活用することができる。
【発明を実施するための最良の形態】
【００５４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００５５】
（第１の実施の形態）
まず，図１に基づいて，第１の実施の形態にかかる情報登録システムの構成について説明する。なお，図１は，第１の実施の形態にかかる情報登録システムの構成を示すブロック図である。なお，本実施形態においては，店舗を特定する店舗情報番号と，商品を特定する商品特定番号がアナログテレビ端末を介して提供される例を挙げて説明する。なお，店舗のみを重要情報として提供したい場合には，店舗情報番号のみを提供することができ，商品のみを重要情報として提供したい場合には，商品情報番号のみを提供することができる。
【００５６】
また，本実施形態においては，ネットワーク化されていないテレビ端末（オフライン情報）の画面上に情報番号を表示し，ネットワーク端末（例えば携帯電話端末など）で登録サイトにアクセスする例に挙げて説明するが，ラジオ，電話，口コミ，メモなどの音声情報として情報番号を伝達された場合や，メモ，雑誌などの紙面上に情報番号が表示された場合，店頭で見た商品を登録する場合，看板や中吊り等の広告なども同様に適用することができる。
【００５７】
まず，図１に示すように，本実施形態にかかる情報登録システムは，図１に示すように，ユーザ携帯電話端末１００，情報登録サーバ３００，メーカ側端末４００，店舗側端末５００，などが，公衆回線網６００を介して接続されている。ユーザテレビ端末２００は，本実施形態にかかる情報登録システムを利用するユーザのアナログテレビ端末（オフライン接続）である。
【００５８】
ユーザ携帯電話端末１００は，例えばプロバイタ（図示せず）及び通信キャリア（図示せず）を介してネットワーク６００と接続されて，各種データを伝達することができる。ユーザテレビ端末（アナログテレビ）２００は，テレビ局２５０を介して送信された番組中に所定の店舗や商品に関する情報が提供される。
【００５９】
情報登録サーバ３００は，商品のメーカがメーカ側端末を介して登録した商品情報や，店舗が店舗側端末を介して登録した店舗情報，ユーザがユーザ携帯端末を介して登録した個人情報（店舗情報又は商品情報）が格納されるサーバ装置である。なお，情報登録サーバの詳細は，後述する。
【００６０】
店舗側端末４００は，商品を販売する店舗の端末装置である。メーカ側端末５００は，商品を製造するメーカの端末装置である。
【００６１】
上記構成の情報登録システムにおいて，ユーザは，テレビ画面上に表示された情報番号（店舗情報番号又は商品情報番号）を，ネットワーク端末（携帯電話端末など）を介して情報提供サーバの登録サイトにアクセスして，情報番号を入力する。ユーザは，携帯電話端末に表示された店舗情報又は商品情報の内容を確認した後，登録を行う。
【００６２】
本実施形態においては，各種メディアから得られた店舗情報，商品情報を一元管理し，時間や場所を問わずに使用することができる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，チェーン展開をしている店舗においては，店舗同士を紐付けして，他の店舗も登録させることができる。さらに，店舗情報は，個人情報（勝手情報）と紐付けられているので，マーケティング情報としても活用することができる。
【００６３】
次に，図２に基づいて，本実施形態にかかるユーザの携帯電話端末の構成について説明する。なお，図２は，本実施形態にかかるユーザの携帯電話端末の構成を示すブロック図である。
【００６４】
本実施形態にかかるユーザの携帯電話端末は，ＣＰＵ１１０，通信ユニット１２０，データ入力部１３０，ディスプレイ１４０などから構成される。ＣＰＵ１１０は，携帯電話端末１００の全体制御を実行する。通信ユニット１２０は，電話回線を介した外部との通信や，例えばインターネットを介した外部との通信を制御するユニットである。データ入力部１３０は，商品情報番号や店舗情報番号などの各種データを入力する手段である。ディスプレイ１４０は，データ入力部から入力される各種データや情報登録サーバ３００から送信されたコンテンツなどを表示する手段である。
【００６５】
上記構成のユーザ携帯電話端末は，情報登録サーバにアクセスして，ユーザＡが取得した商品情報番号又は店舗情報番号を送信し，該当する商品情報又は店舗情報をユーザＡの個人情報としてユーザＡの個人データベースに登録を要求することができる。また，データ入力部から入力した店舗情報の勝手情報を書き込むことができる。また，情報登録サーバから提供された個人情報（店舗情報又は商品情報）を表示することができる。
【００６６】
次に，図３に基づいて，本実施形態にかかるユーザテレビ端末（アナログテレビ）の構成について説明する。なお，図３は，本実施形態にかかるユーザテレビ端末の構成を示すブロック図である。
【００６７】
本実施形態にかかるユーザテレビ端末（アナログテレビ）は，図３に示すように，放送局から送信された番組中の商品情報や店舗情報，及び商品情報番号や店舗情報番号がディスプレイ２１０上に表示される。このことにより，ユーザは，商品情報番号や店舗情報番号を取得することができる。
【００６８】
なお，本実施形態においては，テレビ画面上に表示された情報番号（店舗情報番号又は商品情報番号）をユーザが取得した例を挙げて説明するが，ユーザに対して，ラジオ，電話，口コミなどの音声情報として情報番号を伝達された場合や，メモ，雑誌などの紙面上に情報番号が表示された場合，店頭で見た商品を登録する場合なども同様に適用することができる。
【００６９】
次に，図４に基づいて，本実施形態にかかる情報登録サーバの構成について説明する。なお，図４は，本実施形態にかかる情報登録サーバの構成を示すブロック図である。また，本実施形態においては，店舗情報のみがオフィシャル情報と勝手情報とを有する構成を例に挙げて説明するが，商品情報についてもオフィシャル情報と勝手情報とを有するように構成することもできる。
【００７０】
本実施形態にかかる情報登録サーバ３００は，図４に示すように，ＣＰＵ３１０，通信ユニット３２０，メモリ３３０，店舗情報番号及び商品情報番号付与手段３４０，店舗データベース３５０（オフィシャルデータベース３５０ａ，勝手データベース３５０ｂ），商品データベース３６０，個人データベース３７０，番組データベース３８０，店舗位置データベース３９０などから構成される。
【００７１】
ＣＰＵ３１０は，情報登録サーバ３００の全体制御を実行する。通信ユニット３２０は，電話回線を介した外部との通信や，例えばインターネットを介した外部との通信を制御するユニットである。メモリ３３０は，ＣＰＵ３１０によって，アクセスされるためのプログラムやデータが格納される。
【００７２】
店舗情報番号及び商品情報番号付与手段３４０は，店舗を特定する番号及び商品を特定する番号を付与する手段である。店舗情報番号は，ランダムな番号で付与することが出来るが，所定の方式に基づいて付与することもできる。例えば店舗の電話番号などを店舗情報番号として付与することができる。また，商品情報番号は，ランダムな番号で付与することが出来るが，所定の方式に基づいて付与することもできる。例えば，メーカ名，製品記号などを用いて商品を特定する番号とすることができる。
【００７３】
店舗情報データベース３５０は，店舗側端末から送信された店舗オフィシャル情報とユーザ端末から送信された店舗勝手情報とからなる店舗情報を格納する手段であり，店舗側端末から送信された店舗オフィシャル情報を格納するための店舗オフィシャルデータベース３５０ａと，ユーザ端末から送信された店舗勝手情報を格納するための勝手データベース３５０ｂとから構成される。なお，店舗オフィシャル情報は店舗自身のみが登録することができ，勝手情報はユーザのみが登録することができる。店舗オフィシャル情報は，店舗自身以外の第三者による登録内容の更新は不可能であると共に，所在地，店名などの固定情報部分と空席情報やクーポンなどの変動情報の部分に分けられる。このように，店舗側のフレキシブルな運用が可能である。
【００７４】
店舗情報（オフィシャル情報）３５２は，図５に示すように，店名３５２１，支店名３５２２，所在地３５２３，店舗情報番号３５２４，変動情報３５２５などから構成される。店名３５２１は，商品を販売する店舗を経営する企業名である。支店名３５２２は，支店店舗の名称である。所在地３５２３は，支店店舗の所在地である。店舗情報番号３５２４は，支店店舗毎に割り当てられた番号であり，例えば支店店舗の電話番号とすることができる。変動情報３５２５は，店舗側が自由に書き換え可能な店舗の各種情報が記載される。
【００７５】
店舗情報（勝手情報）３５４は，図６に示すように，ユーザ名３５４１，店名３５４２，支店名３５４３，所在地３５４４，勝手情報３５４５などから構成される。ユーザ名３５４１は，勝手情報を記載したユーザの氏名である。店名３５４２は，商品を販売する店舗を経営する企業名である。支店名３５４３は，支店店舗の名称である。所在地３５４４は，支店店舗の所在地である。勝手情報３５４５は，ユーザが自由に書き換え可能な店舗の各種情報が記載される。
【００７６】
商品データベース３６０は，メーカ側端末から送信された商品情報３６２を格納するデータベースである。商品情報３６２は，図７に示すように，商品名３６２１，メーカ名３６２２，機能３６２３，商品情報番号３６２４，定価３６２５，販売価格，在庫３６２６，商品３６２７などから構成される。
【００７７】
商品名３６２１は，メーカが提供する商品の名称である。メーカ名３６２２は，商品を製造するメーカ名である。機能３６２３は，商品の各種機能が記載される。商品情報番号３６２４は，商品を特定するための番号であり，例えばランダムな番号で付与することが出来るが，所定の方式に基づいて付与することもできる。例えば，メーカ名，製品記号などを用いて商品を特定する番号とすることができる。定価３６２５は，メーカ側の商品の小売希望価格，在庫である。販売価格，在庫３６２６は，店舗側が設定した商品の販売価格，在庫である。商品３６２７は，例えば商品の外観写真等を掲載することができる。
【００７８】
個人データベース３７０は，ユーザが商品情報番号又は店舗情報に基づいて登録した商品情報又は店舗情報をユーザの個人情報３７２として登録するデータベースである。個人情報３７２は，図８に示すように，ユーザ名３７２１，ＩＤ３７２２，パスワード３７２３，登録情報３７２４（店舗登録情報３７２４ａ，商品登録情報３７２４ｂ）などから構成される。
【００７９】
ユーザ名３７２１は，個人情報を登録したユーザの氏名である。ＩＤ３７２２は，ユーザを特定するための番号である。パスワード３７２３は，ユーザが任意に設定可能な暗証番号である。登録情報３７２４は，店舗登録情報３７２４ａ，商品登録情報３７２４ｂとから構成されている。店舗登録情報３７２４ａは，店舗情報番号と店舗情報（オフィシャル情報，勝手情報）からなり，商品登録情報３７２４ｂは，商品情報番号と商品情報とからなる。なお，商品情報についても商品オフィシャル情報と商品勝手情報とから構成することもできる。
【００８０】
番組データベース３８０は，例えば商品情報又は店舗情報が放送された番組に関する番組情報３８２が格納されるデータベースである。番組情報３８２は，図９に示すように，日付３８２１，時間３８２２，チャンネル３８２３，番組名３８２４，商品名３８２５，店舗情報番号３８２６，商品情報番号３８２７などから構成される。
【００８１】
日付３８２１は，番組が放送された日にちである。時間３８２２は，番組が放送された時間である。チャンネル３８２３は，番組が放送されたテレビのチャンネルである。番組名３８２４は，商品情報あるいは店舗情報が放送された番組名である。商品名３８２５は，番組で放送された商品情報にかかる商品である。店舗情報番号３８２６は，商品を販売する店舗を特定する番号である。商品情報番号３８２７は，商品を特定する番号である。
【００８２】
店舗位置データベース３９０は，各種店舗の所在地に関する店舗位置情報３９２が格納されるデータベースである。店舗位置情報は，図１０に示すように，所在地３９２２（都道府県３９２２ａ，市区町村３９２４ｂ，番地３９２２ｃ），店舗名３９２４などから構成される。所在地３９２２は，都道府県３９２２ａ，市区町村３９２４ｂ，番地３９２２ｃなどから構成され，店舗の所在地を示す。店舗名３９２４は，商品を提供する店舗名を示す。
【００８３】
本実施形態にかかる情報登録サーバは，各種メディアから得られた店舗情報，商品情報を特定のフォーマットで一元管理し，場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカが情報を登録するのが好ましい。
【００８４】
次に，本実施形態にかかる店舗側端末の構成について説明する。本実施形態にかかる店舗側端末は，情報登録サーバに店舗情報を登録する機能を有する以外は，通常のサーバと同様の構成であるので，その詳細な説明及び図示による説明は省略する。
【００８５】
本実施形態にかかる店舗側端末は，ＣＰＵ，通信ユニット，データ入力部，ディスプレイなどから構成される。ＣＰＵは，店舗側端末４００の全体制御を実行する。通信ユニットは，電話回線を介した外部との通信や，例えばインターネットを介した外部との通信を制御するユニットである。データ入力部は，店舗情報（オフィシャル情報）などの各種データを入力する手段である。ディスプレイは，データ入力部から入力される各種データや情報登録サーバ３００から送信されたコンテンツなどを表示する手段である。
【００８６】
次に，本実施形態にかかるメーカ側端末５００の構成について説明する。本実施形態にかかるメーカ側端末は，情報登録サーバに商品情報を登録する機能を有する以外は，通常のサーバと同様の構成であるので，その詳細な説明及び図示による説明は省略する。
【００８７】
本実施形態にかかるメーカ側端末５００は，ＣＰＵ，通信ユニット，データ入力部，ディスプレイなどから構成される。ＣＰＵは，メーカ側端末４００の全体制御を実行する。通信ユニットは，電話回線を介した外部との通信や，例えばインターネットを介した外部との通信を制御するユニットである。データ入力部は，商品情報などの各種データを入力する手段である。ディスプレイは，データ入力部から入力される各種データや情報登録サーバ３００から送信されたコンテンツなどを表示する手段である。
【００８８】
次に，図１１に基づいて，本実施形態にかかる店舗情報の個人データベースへの登録方法について説明する。なお，図１１は，本実施形態にかかる店舗情報の個人データベースへの登録方法を示すフローチャートである。
【００８９】
まず，ステップＳ１００で，ユーザは，オフラインテレビ端末装置２００から店舗情報番号を取得する（ステップＳ１００）。なお，本実施形態においては，ネットワーク化されていないテレビ端末（オフライン情報）を例に挙げて説明するが，ラジオ，電話，口コミなどの音声情報として情報番号を伝達された場合や，メモ，雑誌などの紙面上に情報番号が表示された場合，店頭で見た商品を登録する場合なども同様に適用することができる。
【００９０】
次いで，ステップＳ１０２で，ユーザは，携帯電話端末１００から情報登録サーバ３００にアクセスして（ログイン），情報番号を情報登録サーバ３００に送信する（ステップＳ１０２）。本実施形態においては，携帯電話端末１００から情報番号を送信しているが，ネットワークに接続される送信機器であれば，携帯電話端末以外にも，パソコン，ＰＤＡなども使用することができる。
【００９１】
一方，ユーザが店舗の傍らにいて店舗情報番号を把握していない場合には，ユーザは，ユーザの位置情報を送信し，ステップＳ１０４で，情報登録サーバ３００は，携帯電話端末１００から送信されたユーザ位置情報に基づいて店舗位置データベースから該当する店舗位置情報を検索して，店舗情報番号を抽出する（ステップＳ１０４）。このように，ユーザが店舗の傍らにいる場合には，ユーザ位置情報を送信することにより，情報登録サーバは自動的に店舗番号情報を認識することができる。
【００９２】
その後，ステップＳ１０６で，携帯電話端末１００から送信された店舗情報に基づいて店舗情報を検索し，該当する店舗情報を携帯電話端末１００に送信する（ステップＳ１０６）。
【００９３】
その後，ステップＳ１０８で，携帯電話端末１００には，情報登録サーバ３００から送信された店舗情報の内容が表示される（ステップＳ１０８）。このことにより，ユーザは，登録する店舗情報を確認することができる。
【００９４】
さらに，ステップＳ１１０で，店舗情報がユーザの個人データベース３８０に登録される（ステップＳ１１０）。その後，ステップＳ１１２で，携帯電話端末１００には店舗情報の登録内容が表示される（ステップＳ１１０）
【００９５】
以上により，ユーザが取得した店舗情報番号（又は位置情報）により，店舗情報をユーザの個人データベースに登録することができる。なお，上記説明では，ユーザの位置情報により店舗情報番号を抽出し，自動的に店舗番号に該当する店舗情報を送信する例を挙げて説明したが，ユーザは，店舗位置情報の内容を確認してから（複数表示された場合は選択してから），店舗情報番号を入力するように構成することもできる。なお，登録情報が存在しない場合には，フォーマットにユーザの個人情報を記入して，登録を行うことができる。また，この登録情報は，他のユーザに公開することもできる。
【００９６】
なお，上記実施形態においては，店舗情報を例に挙げてについて説明したが，商品情報の登録も同様におこなうことができる。即ち，例えばテレビ端末の画面上で，（商品名，価格，在庫と共に）表示された商品情報番号について，ネットワーク端末（携帯電話など）で登録サイトにアクセス，商品情報番号を入力して，内容確認後，登録を行うことができる。また，この商品情報は店舗情報と紐付けすることも可能であるが，この点については後述する。
【００９７】
次に，図１２に基づいて，本実施形態にかかる新規店舗情報（勝手情報）の登録方法について説明する。なお，図１２は，本実施形態にかかる新規店舗情報（勝手情報）の登録方法を示すフローチャートである。
【００９８】
まず，ステップＳ２００で，ユーザは，携帯電話端末１００から情報登録サーバ３００にアクセスして（ログイン），登録フォーム（図示せず）を要求する（ステップＳ２００）。
【００９９】
次いで，ステップＳ２０２で，情報登録サーバ３００は，店舗データベース３５０に格納されている登録フォームを携帯電話端末１００に送信する（ステップＳ２０２）。
【０１００】
その後，ステップＳ２０４で，ユーザは，携帯電話端末１００を介して登録フォームに店舗情報（勝手情報）を記入し，情報登録サーバ３００に送信する（ステップＳ２０４）。
【０１０１】
さらに，ステップＳ２０６で，情報登録サーバ３００は，店舗データベース３５０（勝手データベース３５０ｂ）に店舗情報を登録した後，個人データベース３７０に送信する（ステップＳ２０６）。
【０１０２】
次いで，ステップＳ２０８で，情報登録サーバ３００は，個人データベース３７０には，店舗情報（勝手情報）を登録する（ステップＳ２０８）。
【０１０３】
最後に，ステップＳ２１０で，携帯電話端末１００には登録内容が表示される（ステップＳ２１０）。
【０１０４】
上記のように，本実施形態においては，店舗情報は，店舗側が登録するオフィシャル情報以外にも，ユーザが登録する店舗勝手情報から構成されるので，ユーザの利便性が向上される。
【０１０５】
次に，図１３に基づいて，商品情報と店舗情報の紐付け方法について説明する。なお，図１３は，本実施形態にかかる商品情報と店舗情報の紐付け方法を示すフローチャートである。
【０１０６】
まず，ステップＳ３００で，店舗側は，店舗側端末４００を介して情報登録サーバ３００にアクセスして（ログイン），商品番号情報を送信する（ステップＳ３００）。
【０１０７】
次いで，ステップＳ３０２で，情報登録サーバ３００は，送信された商品情報番号に対応する商品情報を商品情報データベース３６０から検索して，該当する商品情報を店舗側端末４００に送信する（ステップＳ３０２）。
【０１０８】
その後，ステップＳ３０４で，店舗側は，店舗側端末４００を介して情報登録サーバ３００から送信された商品情報に価格，在庫等の情報を記入する（ステップＳ３０４）。
【０１０９】
さらに，ステップＳ３０６で，情報登録サーバ３００は，店舗データベース３５０（オフィシャルデータベース３５０ａ）に，店舗の価格，在庫等の情報が記入された商品情報（紐付け情報）を登録する（ステップＳ３０６）。
【０１１０】
最後に，ステップＳ３０８で，店舗側端末４００には，登録内容が表示される（ステップＳ３０８）。
【０１１１】
上記のように，本実施形態においては，自分の店舗で販売している商品の商品情報を自分の店舗情報に登録することにより，店舗側では，店頭価格，在庫等の記入が可能となるので，ユーザは登録した商品の販売場所や価格，在庫などの情報を知ることができる。また，マップを表示したり，安い順にソート表示することなどにより，ユーザの利便性も向上される。なお，この登録は，店舗情報の変動部分で行われるので，商品の在庫がなくなった場合に削除するなどの運用が可能である。なお，かかる紐付け情報は，
【０１１２】
かかる紐付け情報について，図１４及び図１５に基づいて，２つの例を挙げて説明する。なお，図１４は，本実施形態にかかる所定の店舗に対して商品情報を紐付けした第１の紐付け情報を示す説明図である。図１５は，本実施形態にかかる所定の商品について各店舗を紐付けした第２の紐付け情報を示す説明図である。
【０１１３】
まず，図１４に示すように，所定の店舗に対して紐付けされた商品情報からなる紐付け情報であり，店舗情報３５６１に対して商品情報３５６４が紐付けされている。
【０１１４】
店舗情報３５６１は，オフィシャル情報と３５６２と勝手情報３５６３とからなり，オフィシャル情報は，店名３５６２ａ，店舗名３５６３ｂ，所在地３５６３ｃ，変動情報３５６３ｄなどから構成される。かかる構成は，上記と同様なのでその説明は省略する。
【０１１５】
商品情報３５６４は，商品３５６４ａ，メーカ３５６４ｂ，機種名３５６４ｃ，価格，在庫３５６４ｄなどから構成される。かかる各項目の表示内容は，上記と同様なのでその説明は省略する。
【０１１６】
このように，第１の紐付け情報は，店舗情報に対して当該店舗で販売している各種商品についての情報が紐付けされる。かかる構成の第１の紐付け情報においては，所定の店舗で販売している各種商品についての情報も同時に得ることができる。
【０１１７】
一方，図１５に示すように，所定の店舗に対して紐付けされた商品情報について，所定の商品に対する情報とすることもできる。この場合には，所定の商品について，各店舗における当該商品の価格，在庫等の情報が一覧表示される。
【０１１８】
かかる第２の紐付け情報は，店名３５８１，店舗名３５８２，所在地３５８３，価格，在庫３５８４，在庫３５８５，店舗情報３５８６などから構成される。かかる項目の表示内容は，上記と同様なのでその説明は省略する。
【０１１９】
このように，第２の紐付け情報は，同一商品に対して，各店舗の価格，在庫等の情報が得られる。かかる構成の第２の紐付け情報は，同一商品に対して，各店舗の価格，在庫等の情報が得られるので，ユーザの情報利用の利便性が向上する。
【０１２０】
上記のように，自分の店舗で販売している商品の商品情報を自分の店舗情報に登録することにより，店舗側では，店頭価格，在庫等の記入が可能となるので，ユーザは登録した商品の販売場所や価格，在庫などの情報を知ることができる。また，マップを表示したり，安い順にソート表示することなどにより，ユーザの利便性も向上される。なお，この登録は，店舗情報の変動部分で行われるので，商品の在庫がなくなった場合に削除するなどの運用が可能である。
【０１２１】
次に，図１６に基づいて，本実施形態にかかるお薦め情報の送信方法について説明する。なお，図１６は，本実施形態にかかるお薦め情報の送信方法を示すフローチャートである。
【０１２２】
まず，ステップＳ４００で，ユーザは，携帯電話端末１００を介して情報登録サーバ３００にアクセスして（ログイン），お薦め情報を要求する。
【０１２３】
次いで，ステップＳ４０２で，共通嗜好判断手段３８５は，各個人データベース３８０ａ，３８０ｂを検索し，所定の条件で，共通の嗜好を有する個人ユーザの個人情報を抽出する（ステップＳ４０２）。即ち，図１７に示すように，共通嗜好判断手段３８５は他のユーザＢの登録情報と比較して一致する情報がある一定の割合より多い場合，そのユーザＡはユーザＢと嗜好が似ていると判断し，紐付けを行う。なお，嗜好が似ているユーザが集まった時点で，共通部分の情報データベース（共通嗜好データベース）を作成することができる。
【０１２４】
その後，ステップＳ４０４で，情報登録サーバ３００は，お薦め情報を共通嗜好データベース３８０ｃに登録した後，お薦め情報を携帯電話端末１００に送信する（ステップＳ４０４）。その状態でユーザＡからお薦め情報の要求があった場合，共通嗜好データベースからユーザＡが登録していない情報を選択して，お薦め情報として送信する。共通嗜好データベースが作成されていない場合には，紐付け先のユーザデータベースからユーザＡが登録していない情報を選択して，お薦め情報として送信することもできる。
【０１２５】
最後に，ステップＳ４０６で，ユーザの携帯端末にはお薦め情報の内容が表示される（ステップＳ４０６）。
【０１２６】
本実施形態においては，ユーザは，嗜好の似た他のユーザの登録情報をお薦め情報として取得することができるので，より完成度の高い情報を得ることができる。なお，他のユーザに情報を提供するか否かを予め設定することにより，他人に知られたくない情報が漏洩することが防止される。
【０１２７】
次に，図１８に基づいて，ユーザの店舗利用情報について説明する。なお，図１８は，本実施形態にかかるユーザの店舗利用情報を示す説明図である。なお，本実施形態にかかる店舗利用情報３７４は，個人データベース３７０に格納されている。
【０１２８】
本実施形態にかかる店舗利用情報３７４は，利用店名３７４１，利用店舗名３７４２，所在地３７４３，購入商品３７４４，金額３７４５，日時３７４６，その他３７４７などから構成される。
【０１２９】
利用店名３７４１は，ユーザが利用した店舗の会社名である。利用店舗名３７４２は，ユーザが利用した店舗名である。所在地３７４３は，ユーザが利用した店舗の所在地である。購入商品３７４４は，ユーザが各店舗で購入した商品名である。金額３７４５は，ユーザが購入した商品の金額である。日時３７４６は，ユーザが商品を購入した日時である。その他３７４７は，例えば商品代金の支払い方法などの他の項目を記載することができる。
【０１３０】
本実施形態においては，店舗情報の登録のみなわず，ユーザの実際の店舗情報の使用状況（回数，日時など）を管理することができる。かかるユーザの店舗利用情報により，ユーザの店舗利用履歴管理が可能となるので，店舗側もユーザ側も実際の店舗利用に関する有用情報として使用することができる。
【０１３１】
次に，図１９〜図２２に基づいて，ユーザが登録した店舗情報の通知方法について説明する。なお，本実施形態においては，時間条件，位置条件，個人条件により自動的にユーザに通知されるものとして説明する。なお，後述する時間情報管理サーバ，位置情報管理サーバ，個人情報管理サーバは，公衆回線網に接続されており，所定の時間条件，位置条件，個人条件により情報管理サーバに対して所定の情報をユーザに対して通知するように指示するサーバ装置である。なお，個人情報をユーザに対して通知するための各時間条件，位置条件，個人条件は，予め設定されているものとして説明する。また，かかる構成は，特願２００３−１１５２４２号に記載されている構成と同様の構成である。
【０１３２】
まず，図１９に基づいて，本実施形態にかかる情報登録システムにおける情報登録システムにおける時間条件を設定したユーザの個人情報の送信方法について説明する。なお，図１２は，本実施形態にかかる情報登録システムにおける時間条件を設定した個人情報の送信方法を示すフローチャートである。
【０１３３】
まず，ステップＳ５００で，時間情報管理サーバ（図示せず）は，時間情報を情報登録サーバに送信する（ステップＳ５００）。
【０１３４】
次いで，ステップＳ５０２で，情報登録サーバ３００は，時間情報管理サーバからの時間情報に基づいて，ユーザの個人情報を検索し，時間条件を満たす個人情報をユーザ携帯端末に送信する（ステップＳ５０２）。
【０１３５】
最後に，ステップＳ５０４で，ユーザ携帯端末１００には，時間条件を満たすユーザの個人情報が表示され，ユーザは個人情報を確認する（ステップＳ５０４）。
【０１３６】
本実施形態においては，時間条件（例えば指定した時間）に基づいてユーザの個人情報が自動的にユーザ携帯端末に送信されるので，ユーザは，好適なタイミングで満足度の高い情報を得ることができる。
【０１３７】
次に，図２０に基づいて，本実施形態にかかる情報登録システムにおける位置条件を設定したユーザの個人情報の送信方法について説明する。なお，図２０は，本実施形態にかかる情報登録システムにおける位置条件を設定した個人情報の送信方法を示すフローチャートである。
【０１３８】
まず，ステップＳ６００で，ユーザ携帯端末１００のＧＰＳ機能（図示せず）により，ユーザの位置情報が位置情報管理サーバ（図示せず）に送信される（ステップＳ６００）。このように，ユーザの位置情報が自動的に位置情報管理サーバに送信される。なお，位置情報は，ユーザ携帯端末から直接入力することもできるが，位置情報を自動的に認識することにより，ユーザの位置情報の入力の手間を軽減できるばかりでなく，位置情報の入力を忘れた場合であっても固有情報が通知されるので，有用情報を効果的に利用することができる。
【０１３９】
次いで，ステップＳ６０２で，位置情報管理サーバは，ユーザの位置情報を情報登録サーバ３００に送信する（ステップＳ６０２）。
【０１４０】
その後，ステップＳ６０４で，情報登録サーバ３００は，位置情報管理サーバから送信された位置情報に基づいて，ユーザの個人情報を検索し，位置条件を満たす個人情報をユーザ携帯端末１００に送信する（ステップＳ６０４）。
【０１４１】
最後に，ステップＳ６０６で，ユーザ携帯端末１００には，位置条件を満たす個人情報が表示され，ユーザは個人情報を確認する（ステップＳ６０６）。
【０１４２】
本実施形態においては，位置条件（例えば指定場所）に基づいて固有情報が自動的にユーザ携帯端末に送信されるので，ユーザは，好適なタイミングで満足度の高い情報を得ることができる。
【０１４３】
次に，図２１に基づいて，本実施形態にかかる情報登録システムにおける個人条件を設定した個人情報の送信方法について説明する。なお，図２１は，本実施形態にかかる情報登録システムにおける個人条件を設定した個人情報の送信方法を示すフローチャートである。
【０１４４】
まず，ステップＳ７００で，ユーザ双方が所有するユーザ携帯端末の無線通信機能（図示せず）により近くにいる相手を認識し，相手方の氏名が個人情報として個人情報管理サーバ（図示せず）に送信される（ステップＳ７００）。このように，ユーザの個人情報が自動的に個人情報管理サーバに送信される。また，ＧＰＳ機能を利用することによっても，個人情報を自動的に送信することができる。
【０１４５】
次いで，ステップＳ７０２で，個人情報管理サーバは，ユーザの個人条件を抽出し，情報登録サーバ３００に送信する（ステップＳ７０２）。
【０１４６】
その後，ステップＳ７０４で，情報登録サーバ２００は，個人情報管理サーバから送信された個人条件を満たす個人情報を検索し，ユーザ携帯端末１００に送信する（ステップＳ７０４）。
【０１４７】
最後に，ステップＳ７０６で，ユーザ携帯端末１００には，個人条件を満たす個人情報が表示され，ユーザは個人情報を確認する（ステップＳ７０６）。
【０１４８】
本実施形態においては，個人条件（例えば指定された個人）に基づいて個人情報が自動的にユーザ携帯端末に送信されるので，ユーザは，好適なタイミングで満足度の高い情報を得ることができる。
【０１４９】
以上のように，本実施形態においては，各種メディアから得られた店舗情報，商品情報を特定のフォーマットで一元管理し，場所や時間を問わずに情報を効率よく使用することが可能となる。このことにより，情報を伝達する各種メディアの情報価値が高まることができ，情報提供側からは情報利用の機会損失の軽減を期待することができる。また，商品情報を飲食や物販のみならず，映画作品名やイベント，コンサート名などの興行情報としても使用することができる。また，情報の正確性，および責任を明確にする意味で，飲食店などの店舗情報の場合には飲食店などの店舗が店舗情報を登録し，商品情報の場合にはメーカが情報を登録するのが好ましい。
【０１５０】
（第２の実施の形態）
次に，図２２及び図２３に基づいて，第２の実施の形態にかかる情報登録システムの構成について説明する。なお，図２２は，第２の実施の形態にかかる情報登録システムの構成を示すブロック図である。本実施形態においては，ユーザは，ネットワーク対応のテレビでデータ放送を受信しないテレビ端末により，店舗情報を取得する場合について説明する。
【０１５１】
図２２に示すように，第２の実施の形態にかかる情報登録システムは，オンラインテレビ端末２００’，情報登録サーバ３００，メーカ側端末４００，店舗側端末５００，などが，公衆回線網６００を介して接続されている。
【０１５２】
本実施形態においては，第１の実施の形態と異なり，オフラインテレビ端末の変わりにオンライン端末（データ放送なし）２００’が接続されている。なお，情報登録サーバ３００，メーカ側端末４００，店舗側端末５００，公衆回線網６００については，第１の実施の形態と同様なのでその説明は省略する。
【０１５３】
本実施形態にかかるオンライン端末（データ放送なし）２００’は，ネットワーク対応のテレビ装置であるが，データ放送受信することができないテレビ装置である。登録ボタンを押下し，その時の地域情報，時間情報，チャンネル情報などから登録したい情報を識別して，登録を行う。
【０１５４】
以下，図２３に基づいて，本実施形態にかかる情報登録方法について説明する。なお，図２３は，第２の実施の形態にかかる情報登録方法を示すフローチャートである。
【０１５５】
まず，ステップＳ８００で，ユーザは，テレビ端末装置２００’から情報登録サーバ３００にアクセスして（ログイン），番組の時間情報，チャンネル情報等を情報登録サーバ３００に送信する（ステップＳ８００）。なお，テレビ番組は，放送地域ごとに異なるので，その番組の地域情報を入力することもできる。
【０１５６】
その後，ステップＳ８０２で，テレビ端末装置２００’から送信された時間情報，チャンネル情報に基づいて番組データベースを検索して店舗情報番号を抽出する（ステップＳ８０２）。
【０１５７】
さらに，ステップＳ８０４で，情報登録サーバ３００は，店舗データベースから店舗情報番号に対応する店舗情報を検索し，該当する店舗情報をテレビ端末２００’に送信する（ステップＳ８０２）。
【０１５８】
その後，ステップＳ８０６で，テレビ端末には，情報登録サーバから送信された店舗情報の内容が表示される（ステップＳ８０６）。このことにより，ユーザは，登録する店舗情報を確認することができる。
【０１５９】
さらに，ステップＳ８０８で，店舗情報がユーザの個人データベース３７０に登録された後（ステップＳ８０８），ステップＳ８１０で，テレビ端末２００’に登録内容が表示される（ステップＳ８１０）
【０１６０】
以上により，情報登録サーバは，ユーザが取得した番組情報により店舗情報番号（又は商品情報番号）を検索して，該当する店舗情報（又は商品情報）をユーザの個人データベースに登録することができる。
【０１６１】
（第３の実施の形態）
次に，図２４に基づいて，第３の実施の形態にかかる情報登録システムの構成について説明する。なお，図２４は，第３の実施の形態にかかる情報登録システムの構成図である。本実施形態においては，ユーザは，ネットワーク対応のテレビでデータ放送が受信可能なテレビ端末により，店舗情報を取得する場合について説明する。
【０１６２】
図２４に示すように，第３の実施の形態にかかる情報登録システムは，オンラインテレビ端末（データ放送有り）２００”，情報登録サーバ３００，メーカ側端末４００，店舗側端末５００，などが，公衆回線網６００を介して接続されている。
【０１６３】
本実施形態においては，第１及び第２の実施の形態と異なり，データ放送が受信可能なテレビ装置端末２００”が接続されている。なお，情報登録サーバ３００，メーカ側端末４００，店舗側端末５００，公衆回線網６００については，第１及び第２の実施の形態と同様なのでその説明は省略する。
【０１６４】
以下，図２５に基づいて，本実施形態にかかる情報登録方法について説明する。なお，図２５は，本実施形態にかかる情報登録方法を示すフローチャートである。
【０１６５】
まず，ステップＳ９００で，ユーザは，テレビ端末装置２００”から情報登録サーバ３００にアクセスして（ログイン），店舗データベースのＵＲＬを情報登録サーバ３００に送信する（ステップＳ９００）。
【０１６６】
その後，ステップＳ９０２で，情報登録サーバ３００は，テレビ端末装置２００”から送信されたＵＲＬに基づいて店舗情報を検索し，該当する店舗情報をテレビ端末装置２００”に送信する（ステップＳ９０２）。
【０１６７】
さらに，ステップＳ９０４で，テレビ電話端末２００”は，情報登録サーバ３００から送信された店舗情報の内容を表示する（ステップＳ９０４）。このことにより，ユーザは，登録する店舗情報を確認することができる。
【０１６８】
さらに，ステップＳ９０６で，情報登録サーバ３００は，店舗情報をユーザの個人データベースに登録する（ステップＳ９０６）。その後，ステップＳ９０８で，テレビ端末装置２００”には登録内容が表示される（ステップＳ９０８）。このように，本実施形態においては，データ放送のデータから情報にリンクして，登録を行うことができる。
【０１６９】
以上により，ユーザが取得したＵＲＬにより，店舗情報（又は商品情報）をユーザの個人データベースに登録することができる。
【０１７０】
なお，本実施形態においては，データ放送受信可能なテレビ端末装置を例に挙げて説明したが，インターネットの情報や，メールなどのオンライン環境で文字情報で伝える場合においても，他のユーザが店舗情報の登録サイトにアクセスし，メールにＵＲＬを添付してユーザに送信した場合においても，メールに添付されたＵＲＬに基づいて，店舗情報を個人データベースに登録することができるの登録を示したものである。
【０１７１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１７２】
本発明は，情報登録システム，サーバ装置，プログラム，プログラムを記録した媒体及び情報登録方法に適用可能である。
【図面の簡単な説明】
【０１７３】
【図１】第１の実施の形態にかかる情報登録システムの構成を示すブロック図である。
【図２】第１の実施の形態にかかるユーザの携帯電話端末の構成を示すブロック図である。
【図３】第１の実施の形態にかかるユーザテレビ端末の構成を示すブロック図である。
【図４】第１の実施の形態にかかる情報登録サーバの構成を示すブロック図である。
【図５】第１の実施の形態にかかる店舗情報（オフィシャル情報）の構成を示す説明図である。
【図６】第１の実施の形態にかかる店舗情報（勝手情報）の構成を示す説明図である。
【図７】第１の実施の形態にかかる商品情報の構成を示す説明図である。
【図８】第１の実施の形態にかかる個人情報の構成を示す説明図である。
【図９】第１の実施の形態にかかる番組情報の構成を示す説明図である。
【図１０】第１の実施の形態にかかる店舗位置情報の構成を示す説明図である。
【図１１】第１の実施の形態にかかる店舗情報の個人データベースへの登録方法を示すフローチャートである。
【図１２】第１の実施の形態にかかる新規店舗情報（勝手情報）の登録方法を示すフローチャートである。
【図１３】第１の実施の形態にかかる商品情報と店舗情報の紐付け方法を示すフローチャートである。
【図１４】第１の実施の形態にかかる所定の店舗に対して紐付けされた商品情報からなる第１の紐付け情報を示す説明図である。
【図１５】第１の実施の形態にかかる第２の紐付け情報を示す説明図である。
【図１６】第１の実施の形態にかかるお薦め情報の送信方法を示すフローチャートである。
【図１７】第１の実施の形態にかかる個人情報の紐付け方法を示す説明図である。
【図１８】第１の実施の形態にかかるユーザの店舗利用情報を示す説明図である。
【図１９】第１の実施の形態にかかる時間条件に基づくユーザが登録した店舗情報の通知方法について説明する。
【図２０】第１の実施の形態にかかる位置条件に基づくユーザが登録した店舗情報の通知方法について説明する。
【図２１】第１の実施の形態にかかる個人条件に基づくユーザが登録した店舗情報の通知方法について説明する。
【図２２】第２の実施の形態にかかる情報登録システムの構成を示すブロック図である。
【図２３】第２の実施の形態にかかる情報登録方法を示すフローチャートである。
【図２４】第３の実施の形態にかかる情報登録システムの構成を示すブロック図である。
【図２５】第３の実施の形態にかかる情報登録方法を示すフローチャートである。
【符号の説明】
【０１７４】
１００  携帯電話端末
１１０  ＣＰＵ
１２０  通信ユニット
１３０  データ入力部
１４０  ディスプレイ
２００  ユーザテレビ端末
２００’ ユーザテレビ端末（オンライン，データ放送なし）
２００” ユーザテレビ端末（オンライン，データ放送あり）
２１０  ディスプレイ
３００  情報登録サーバ
３４０  店舗情報番号及び商品情報番号付与手段
３５０  店舗データベース
３５０ａ  オフィシャルデータベース
３５０ｂ  勝手データベース
３５２  店舗情報（オフィシャル情報）
３５４  店舗情報（勝手情報）
３６０  商品データベース
３６２  商品情報
３７０  個人データベース
３７２  個人情報
３８０  番組データベース
３８２  番組情報
３９０  店舗位置データベース
３９２  店舗位置情報
４００  メーカ側端末
５００  店舗側端末
６００  公衆回線網
【図１】
2005084706.tif 000003
【図２】
2005084706.tif 000004
【図３】
2005084706.tif 000005
【図４】
2005084706.tif 000006
【図５】
2005084706.tif 000007
【図６】
2005084706.tif 000008
【図７】
2005084706.tif 000009
【図８】
2005084706.tif 000010
【図９】
2005084706.tif 000011
【図１０】
2005084706.tif 000012
【図１１】
2005084706.tif 000013
【図１２】
2005084706.tif 000014
【図１３】
2005084706.tif 000015
【図１４】
2005084706.tif 000016
【図１５】
2005084706.tif 000017
【図１６】
2005084706.tif 000018
【図１７】
2005084706.tif 000019
【図１８】
2005084706.tif 000020
【図１９】
2005084706.tif 000021
【図２０】
2005084706.tif 000022
【図２１】
2005084706.tif 000023
【図２２】
2005084706.tif 000024
【図２３】
2005084706.tif 000025
【図２４】
2005084706.tif 000026
【図２５】
2005084706.tif 000027